(57)【要約】【課題】バンド装置において１５Ｎ以上の締め付け力を容易且つ適切に確保できるようにする。【解決手段】各板バネ１は、帯状の金属板に対し、その幅方向の断面において、この金属板の一面１ａを湾曲内側とする湾曲を施してテンパー処理をした後、この金属板の他面１ｂ側がリング内側となるようにこの金属板をリング状に成形し、前記幅方向の湾曲により直線状態に維持され、且つ、この湾曲を解除することで直線状態からリング状態に弾性復帰するように構成されている。各板バネ１は、厚さを０．０５ｍｍ以上０．２ｍｍ以下とし、幅を２５ｍｍ以上１００ｍｍ以下とし、かつ、長さを４００ｍｍ以上１５００ｍｍ以下としている。各板バネ１を、隣り合う板バネ１の一方の前記一面１ａが隣り合う板バネ１の他方の前記他面１ｂに向き合うように重ねた状態で、帯状収納体２に納めてなる。【選択図】図５
2013106914.tif 000002
【特許請求の範囲】
【請求項１】
帯状をなす二以上の板バネと、
これらの板バネを一緒に収納する帯状収納体とを有するバンド装置であって、  前記各板バネは、リボン鋼又はステンレス製の帯状の金属板に対し、その幅方向の断面において、この金属板の一面を湾曲内側とする湾曲を施してテンパー処理をした後、この金属板の他面側がリング内側となるようにこの金属板をリング状に成形し、前記幅方向の湾曲により直線状態に維持され、且つ、この湾曲を解除することで直線状態からリング状態に弾性復帰するように構成されており、
各板バネは、厚さを０．０５ｍｍ以上０．２ｍｍ以下とし、幅を２５ｍｍ以上１００ｍｍ以下とし、かつ、長さを４００ｍｍ以上１５００ｍｍ以下としていると共に、
各板バネを、隣り合う板バネの一方の長さ方向に隣り合う板バネの他方の長さ方向が沿い、かつ、隣り合う板バネの一方の前記一面が隣り合う板バネの他方の前記他面に向き合うように重ねた状態で、前記帯状収納体に納めてなることを特徴とするバンド装置。
【請求項２】
帯状収納体の一面に雌雄をなす面状ファスナーの一方が備えられ、かつ、他面に雌雄をなす面状ファスナーの他方が備えられていることを特徴とする請求項１に記載のバンド装置。
【発明の詳細な説明】
【技術分野】
【０００１】
この発明は、直線状態から、弾性復帰を促す外力を作用させることで、巻回状態に復帰して、対象物に巻き付くリング状となるバンド装置の改良に関する。
【背景技術】
【０００２】
断面円弧状にて直線状態を保持し、この断面円弧状の解消により捲線状態に変形する可逆変形可能な細長い板バネを主体としたアームバンドがある。（特許文献１参照）この種のバンドは、前記断面円弧状を解消する外力を作用させることで捲線状態にいわば自動的に変形させて対象物（特許文献１では腕）に巻き付けることができるものである。
【０００３】
このような板バネは、帯状の金属板に対し、その幅方向の断面において、この金属板の一面を湾曲内側とする湾曲を施した後、（第一の成形）この金属板の他面側がリング内側となるようにこの金属板をリング状に成形（第二の成形）することで得られる。
【０００４】
かかる板バネは、前記第一の成形による幅方向の湾曲により直線状態に維持され、且つ、この湾曲を解消する外力を作用されたときに直線状態から前記第二の成形によるリング状態に弾性復帰するようになる。
【０００５】
ここで、この種のバンドの巻き付き力、すなわち、かかるバンドによる対象物に対する締め付け力を１８Ｎ以上にしようとする場合、前記金属板の厚さを増加させる手法が先ず考えられる。しかし、前記金属板はその厚さが０．２ｍｍを超えると、前記直線状態の維持力と弾性復帰力とを適切に均衡させた状態を前記成形により創出することが困難となる。また、単純に前記金属板の厚さを増加させた場合、得られた板バネの寿命が短くなることが知られている。
【先行技術文献】
【特許文献】
【０００６】
【特許文献１】実用新案登録第３０６２９９０号公報
【発明の概要】
【発明が解決しようとする課題】
【０００７】
この発明が解決しようとする主たる問題点は、この種のバンド装置において、１５Ｎ以上の締め付け力を容易且つ適切に確保できるようにする点にある。
【課題を解決するための手段】
【０００８】
前記目的を達成するために、この発明にあっては、バンド装置を、帯状をなす二以上の板バネと、
これらの板バネを一緒に収納する帯状収納体とを有するバンド装置であって、  前記各板バネは、リボン鋼又はステンレス製の帯状の金属板に対し、その幅方向の断面において、この金属板の一面を湾曲内側とする湾曲を施してテンパー処理をした後、この金属板の他面側がリング内側となるようにこの金属板をリング状に成形し、前記幅方向の湾曲により直線状態に維持され、且つ、この湾曲を解除することで直線状態からリング状態に弾性復帰するように構成されており、
各板バネは、厚さを０．０５ｍｍ以上０．２ｍｍ以下とし、幅を２５ｍｍ以上１００ｍｍ以下とし、かつ、長さを４００ｍｍ以上１５００ｍｍ以下としていると共に、
各板バネを、隣り合う板バネの一方の長さ方向に隣り合う板バネの他方の長さ方向が沿い、かつ、隣り合う板バネの一方の前記一面が隣り合う板バネの他方の前記他面に向き合うように重ねた状態で、前記帯状収納体に納めてなるものとした。
【０００９】
前記のように重ね合わされた各板バネが直線状態にある状態においてこの板バネの両端末間に前記幅方向の湾曲を解く向きの外力を作用させると、この外力の作用された箇所において各板バネのかかる幅方向の湾曲が解かれると共に、この箇所から各板バネの弾性復帰が開始される。かかる各板バネの幅方向の湾曲は前記外力が作用された箇所から次第にその端末に向けて解かれて行き、また、これに伴って各板バネは前記外力が作用された箇所を中心としてその両端末を次第に近づける向きに湾曲して行き、最終的には完全に弾性復帰して前記リング状態となる。各板バネはそれぞれ、厚さを０．０５ｍｍ以上０．２ｍｍ以下とし、幅を２５ｍｍ以上１００ｍｍ以下とし、かつ、長さを４００ｍｍ以上１５００ｍｍ以下とすることから、各板バネには前記成形によって前記直線状態の維持力と弾性復帰力とをどちらかに偏ることなく適切に具備させることができる。また、二以上の板バネによって、バンド装置が１８Ｎ以上の締め付け力を発揮するようにすることができる。
【００１０】
前記帯状収納体の一面に雌雄をなす面状ファスナーの一方を備え、かつ、他面に雌雄をなす面状ファスナーの他方を備えるようにしておくこともある。このようした場合、かかる面状ファスナーにより、前記各板バネがリング状態となったときに、帯状収納体の一端側と他端側とを係合させることができ、対象物にバンド装置が巻き付いた状態をこの面状ファスナーによっても維持することができる。
【発明の効果】
【００１１】
この発明によれば、直線状態から外力の作用によりリング状態に移行して対象物を１８Ｎ以上の力で締め付けるバンド装置を、容易且つ適切に構成することができる。
【図面の簡単な説明】
【００１２】
【図１】図１は実施の形態にかかるバンド装置を構成する板バネの斜視図であり、板バネは直線状態にある。
【図２】図２は図１におけるＡ−Ａ線位置での断面図である。
【図３】図３は前記バンド装置を構成する板バネの斜視図であり、板バネはリング状態にある。
【図４】図４は図３におけるＢ−Ｂ線位置での断面図である。
【図５】図５は前記バンド装置を構成する板バネと帯状収納体とを分離させた状態で示した斜視図である。
【図６】図６は前記バンド装置の斜視図であり、バンド装置は直線状態にある。
【図７】図７は前記バンド装置を図６と反対の向きから示した斜視図であり、バンド装置は直線状態にある。
【図８】図８は前記バンド装置の斜視図であり、バンド装置はリング状態にある。
【発明を実施するための形態】
【００１３】
以下、図１〜図８に基づいて、この発明の典型的な実施の形態について、説明する。この実施の形態にかかるバンド装置Ｂは、直線状態から、弾性復帰を促す外力を作用させることで、リング状態に復帰して、対象物（図示は省略する。）に巻き付くものである。
【００１４】
かかるバンド装置Ｂは、帯状をなす二以上の板バネ１、１…と、これらの板バネ１、１…を一緒に収納する帯状収納体２とから構成されている。
【００１５】
図示の例では、バンド装置Ｂは、同寸、同形の三枚の板バネ１…１を、隣り合う板バネ１の一方の長さ方向に隣り合う板バネ１の他方の長さ方向が沿い、かつ、隣り合う板バネ１の一方の一面１ａが隣り合う板バネ１の他方の他面１ｂに向き合うように重ねた状態で、帯状収納体２に納めることで構成されている。
【００１６】
図示の例では、三枚の板バネ１…１をこのように重ね合わせた状態を、前記帯状収納体２によって維持させている。図示の例では、帯状収納体２は、前記板バネ１と略同じ長さと、略同じ幅とを有し、その一端に形成された開放箇所２ａから、板バネ１をその一方の端末１ｃを先にして内部に差し込むことが可能な、扁平な袋状をしている。また、帯状収納体２は、三枚の板バネ１…１を互いに密着させた状態で納めるように構成されている。図示の例とは別に、各板バネ１は、その両端末１ｃ、１ｃ間の一箇所において、ネジやリベットなどを用いて固着させるようにしておいても良い。
【００１７】
各板バネ１はそれぞれ、帯状の金属板に対し、その幅方向の断面において、この金属板の一面を湾曲内側とする湾曲を施してテンパー処理をした後、この金属板の他面側がリング内側となるようにこの金属板をリング状に成形し、前記幅方向の湾曲により直線状態に維持され、且つ、この湾曲を解除することで直線状態からリング状態に弾性復帰するように構成されている。
【００１８】
典型的には、かかる板バネ１は、リボン鋼又はステンレス製の帯状の金属板に前記幅方向の湾曲を成形機により施した後、これにテンパー処理を施し（一例として摂氏２５０度程度で２０分程度のテンパー処理）、次いでこれを成形機により前記リング状となるように成形する。すなわち、かかる成形により、板バネ１は、弾性復帰時に一方の端末１ｃの外側に他方の端末１ｃを位置させて両端末１ｃを重ね合わせ全体としてリング状をなすようになる。
【００１９】
かかる板バネ１は、前記幅方向の湾曲により、弾性復帰時には前記リング状を呈するにもかかわらず、（図３）直線状態が維持されるようになっている。（図１）この直線状態において、板バネ１の幅方向の断面形状は、その長さ方向のいずれの位置においても、前記金属板の一面１ａを湾曲内側とする弧状をなしている。（図２）
【００２０】
前記のように重ね合わされた各板バネ１が直線状態にある状態においてこの板バネ１の両端末１ｃ、１ｃ間に前記幅方向の湾曲を解く向きの外力を作用させると、この外力の作用された箇所において各板バネ１のかかる幅方向の湾曲が解かれると共に、この箇所から各板バネ１の弾性復帰が開始される。かかる各板バネ１の幅方向の湾曲は前記外力が作用された箇所から次第にその端末１ｃに向けて解かれて行き、また、これに伴って各板バネ１は前記外力が作用された箇所を中心としてその両端末１ｃを次第に近づける向きに湾曲して行き、最終的には完全に弾性復帰して前記リング状態となる。
【００２１】
また、前記各板バネ１はそれぞれ、厚さを０．０５ｍｍ以上０．２ｍｍ以下とし、幅を２５ｍｍ以上１００ｍｍ以下とし、かつ、長さを４００ｍｍ以上１５００ｍｍ以下としている。板バネ１、つまり、前記金属板の厚さが０．０５ｍｍ未満であると、前記の成形をしても前記のようにリング状になるときの弾性復帰力が大きく確保できないため、バンド装置Ｂに１８Ｎ以上の締め付け力を付与するために必要となる板バネ１の枚数を徒に多くする。また、前記金属板の幅が２５ｍｍ未満であるときも、前記の成形をしても前記のようにリング状になるときの弾性復帰力が大きく確保できない。一方、金属板の厚さが０．２ｍｍ超であると、前記直線状態の維持力と弾性復帰力とを適切に均衡させた状態を前記成形により創出することが困難であり、また、単純に前記金属板の厚さを増加させた場合、得られた板バネ１の寿命が短くなることが認められる。前記各板バネ１をそれぞれ、厚さを０．０５ｍｍ以上０．２ｍｍ以下とし、幅を２５ｍｍ以上１００ｍｍ以下とし、かつ、長さを４００ｍｍ以上１５００ｍｍ以下とすることで、各板バネ１には前記成形によって前記直線状態の維持力と弾性復帰力とをどちらかに偏ることなく適切に具備させることができる。また、二以上の板バネ１によって、１８Ｎ以上の締め付け力を発揮するバンド装置Ｂを適切に構成することができる。
【００２２】
バンド装置Ｂが対象物に巻き付いた状態は、リング状態となった板バネ１の両端末１ｃ、１ｃ間の距離を離隔させるように操作してこの板バネ１を再び直線状態に向けて弾性変形させることで解くことができる。板バネ１は前記他面１ｂをリング内側とするリング状態の湾曲を解かれると代わりに前記幅方向の湾曲を生じるようになっており、前記操作により板バネ１は最終的にその長さ方向に亘るどの箇所においても前記幅方向に湾曲された状態となって直線状態に復帰される。すなわち、板バネ１は直線状態からリング状態に変形可能で且つリング状態から直線状態に変形可能であり、かつ、外力を作用されない限り板バネ１のいずれの状態も維持されるようになっている。
【００２３】
また、この実施の形態にあっては、バンド装置Ｂを構成する前記帯状収納体２の一面１ａには雌雄をなす面状ファスナーの一方２ｂが備えられ、かつ、他面１ｂには雌雄をなす面状ファスナーの他方２ｃが備えられている。
【００２４】
かかる帯状収納体２は、典型的には織物生地などよりなる二枚のシート２ｄ、２ｄをその長さ方向に亘る両縁部において互いに縫着などさせて構成され、前記板バネ１の変形を抵抗少なく許容するように構成される。そして、この二枚のシート２ｄ、２ｄの一方の外面に雌雄をなす面状ファスナーの一方２ｂを設けさせ、かつ、かかる二枚のシート２ｄ、２ｄの他方の外面に雌雄をなす面状ファスナーの他方２ｃを設けさせる。これによりこの実施の形態にあっては、かかる面状ファスナー２ｂ、２ｃにより、前記各板バネ１がリング状態となったときに、帯状収納体２の一端側と他端側とを係合させることができ、（図８）対象物にバンド装置Ｂが巻き付いた状態をこの面状ファスナーによっても維持することができる。
【符号の説明】
【００２５】
１  板バネ
１ａ  一面
１ｂ  他面
２  帯状収納体
【図１】
2013106914.tif 000003
【図２】
2013106914.tif 000004
【図３】
2013106914.tif 000005
【図４】
2013106914.tif 000006
【図５】
2013106914.tif 000007
【図６】
2013106914.tif 000008
【図７】
2013106914.tif 000009
【図８】
2013106914.tif 000010